(57)【要約】【課題】高い演出照明効果を得ることができる照明装置を提供する。【解決手段】照明装置10は、光源12、複数の光学カバー14、および駆動機構を備える。複数の光学カバー14は、光源12を覆いながら互いに重なるようにそれぞれ設けられ、それぞれ透過光によって所定のパターンを形成する。駆動機構は、複数の光学カバー14を相対的に移動させる。【選択図】図１
2017103061.tif 000002
【特許請求の範囲】
【請求項１】
光源と；
前記光源を覆いながら互いに重なるようにそれぞれ設けられ、それぞれ透過光によって所定のパターンを形成する複数の光学カバーと；
複数の前記光学カバーを相対的に移動させる駆動機構と；
を具備することを特徴とする照明装置。
【請求項２】
前記光源は、前記駆動機構の動作中に、明るさが変化するように制御される
ことを特徴とする請求項１記載の照明装置。
【発明の詳細な説明】
【技術分野】
【０００１】
本発明の実施形態は、光の演出効果が得られる照明装置に関する。
【背景技術】
【０００２】
従来、例えば、木漏れ日のような自然と調和した照明効果を人工的に再現しようとする場合、商業施設の建築と一体化された大掛かりな造作となることが多い。
【０００３】
また、スタンドなどでは、シェードを透過する光で、木漏れ日を模した演出をするようにしたものがある。しかし、シェードに光を透過させるだけでは、ゆらいでいる木漏れ日を再現することは難しく、高い演出照明効果が得られないことが多い。
【先行技術文献】
【特許文献】
【０００４】
【特許文献１】特開２００１−３４５００５号公報
【発明の概要】
【発明が解決しようとする課題】
【０００５】
本発明が解決しようとする課題は、高い演出照明効果を得ることができる照明装置を提供することである。
【課題を解決するための手段】
【０００６】
実施形態の照明装置は、光源、複数の光学カバー、および駆動機構を備える。複数の光学カバーは、光源を覆いながら互いに重なるようにそれぞれ設けられ、それぞれ透過光によって所定のパターンを形成する。駆動機構は、複数の光学カバーを相対的に移動させる。
【発明の効果】
【０００７】
本発明によれば、高い演出照明効果を得ることが期待できる。
【図面の簡単な説明】
【０００８】
【図１】一実施形態を示す照明装置による光演出効果を説明する模式図である。
【図２】同上照明装置の側面方向から見た断面図である。
【図３】同上照明装置の平面方向から見た断面図である。
【図４】同上照明装置の端面方向から見た断面図である。
【図５】同上照明装置の斜視図である。
【図６】同上照明装置のスライド機構の平面方向からみた断面図である。
【図７】同上照明装置の揺動機構を示し、(a)は揺動機構の平面図、(b)は揺動機構の挿通孔の展開図である。
【発明を実施するための形態】
【０００９】
以下、一実施形態を、図１ないし図７を参照して説明する。
【００１０】
図２ないし図５に示すように、照明装置10は、例えば、床面や机面などに載置したり、あるいは天井面や壁面などに設置し、空間の演出照明に使用される。
【００１１】
照明装置10は、器具本体11、この器具本体11に配設された光源12、この光源12の光軸13上に配設される複数の光学カバー14、およびこれら光学カバー14を相対的に移動させる駆動機構15を備え、さらに、器具本体11に内蔵または別置きで光源12および駆動機構15に電源をそれぞれ供給する電源部を備えている。
【００１２】
そして、器具本体11は、長方形の箱状に形成されている。器具本体11は、例えば、金属製で、光源12が発生する熱を効率よく放熱可能とする。なお、図示していないが、器具本体11の内部には空間が設けられ、電源部を内蔵する仕様の場合には、器具本体11の内部に電源部が収容される。また、器具本体11の長辺に沿った方向を、以下、照明装置10の各構成における長手方向と呼ぶ。
【００１３】
また、光源12は、発光モジュール20が用いられている。発光モジュール20は、基板21、この基板21の表面に実装された発光素子22、およびこの発光素子22を覆って基板21上に設けられたレンズ23を備えている。本実施形態では、４つの発光モジュール20が用いられ、器具本体11の中央領域に集中して配設されている。なお、１枚の基板21に複数の発光素子22およびレンズ23を実装した１つの発光モジュール20を用いてもよい。
【００１４】
発光素子22は、例えば、ＬＥＤが用いられるが、他の発光素子を用いてもよい。発光素子22は、白色光や電球色の光を発光するものでもよいし、ＲＧＢのカラー光を発光するものでよい。レンズ23は、発光素子22が出射する光を集光する。
【００１５】
また、光学カバー14は、光源12に対向する第１の光学カバー30と、光源12および第１の光学カバー30を覆う第２の光学カバー31とを備えている。
【００１６】
第１の光学カバー30には、屈折方向や拡散度などが全体として一定ではない光学パターンが形成された光学シートが用いられている。例えば、第１の光学カバー30には、透過光を屈折させて所望の配光パターンを形成する四角形状のプリズムセルが格子状に面状配設されたプリズムシートが用いられている。
【００１７】
第１の光学カバー30は、半円筒状に設けられた表面部32、およびこの表面部32の両端面を覆う端面部33を有し、光源12に向けて開口するように設けられている。第１の光学カバー30は、光源12に対向し、光源12を覆うように配設され、駆動機構15によって支持されている。第１の光学カバー30は駆動機構15によって移動するが、第１の光学カバー30がどの位置に移動しても、第１の光学カバー30の内側に光源12の発光素子22およびレンズ23が対向するように構成されている。
【００１８】
第１の光学カバー30の一端の端面部33および他端の端面部33には駆動機構15に連結される連結部34および連結部35が突設されている。
【００１９】
第２の光学カバー31は、屈折方向や拡散度などが全体として一定ではない光学パターンが形成された光学シートが用いられている。例えば、第２の光学カバー31には、第１の光学カバー30と同一のプリズムシートが用いられている。第２の光学カバー31の光学パターンは、第１の光学カバー30の光学パターンと同じでもよいし、異なっていてもよい。
【００２０】
第２の光学カバー31は、半円筒状に設けられた表面部36、およびこの表面部36の両端面を覆う端面部37を有し、光源12および第１の光学カバー30などに向けて開口するように設けられている。第２の光学カバー31は、光源12および第１の光学カバー30などを覆って器具本体11に取り付けられている。
【００２１】
また、駆動機構15は、第１の光学カバー30を長手方向に移動させるスライド機構40、第１の光学カバー30を長手方向の軸を中心に揺動させる揺動機構41、および駆動機構15を駆動する駆動部としてのモータ42を備えている。
【００２２】
スライド機構40は、円盤43、およびこの円盤43と第１の光学カバー30の連結部34とを連結する連結部材44を備えている。円盤43は、プーリによって構成されており、軸45を中心として器具本体11の上面に回転可能に設けられている。円盤44上の中心からずれた偏心位置に連結軸46が突設され、この連結軸46に連結部材44が連結されている。また、連結部材44の一方の端部には、軸部材47によって第１の光学カバー30の連結部34に回動可能に連結されている縁部48が設けられている。連結部材44の他方の端部には、円盤43の連結軸46に連結されるカム49が設けられている。カム49には、長手方向と直交する方向に長いカム溝50が設けられている。連結部材44は、器具本体11に設けられたガイド部51にスライド可能に支持されている。
【００２３】
図２ないし図４、および図７に示すように、揺動機構41は、第１の光学カバー30の連結部35に固定された支持軸52、およびこの支持軸52を支持する支持台53を備えている。支持軸52の先端両側にはピン54が突設されている。また、支持台53は、器具本体11の上面に設けられている。支持台53には、支持軸52がスライド可能および回動可能に挿通される挿通孔55が形成され、この挿通孔55の内面に支持軸52のピン54がそれぞれ移動可能に係合するガイド溝56が形成されている。図７(b)に挿通孔55の内面を展開した展開図を示すように、ガイド溝56は挿通孔55の軸方向に対して挿通孔55の周方向に蛇行するように形成されている。そのため、支持軸52が挿通孔55内を軸方向に移動するのに伴って、ピン54がガイド溝56に沿って挿通孔55の周方向に移動し、支持軸52を中心として第１の光学カバー30が長手方向に対して直交する短手方向に揺動する。
【００２４】
図２および図３に示すように、モータ42は、円盤43の側部位置で、器具本体11に配設されている。モータ42の駆動軸に設けられたプーリ57と円盤43とにベルト58が張設され、モータ42の駆動によって円盤43が回転する。
【００２５】
また、電源部は、交流電源を光源12に供給する電源に変換してその光源12に供給し、交流電源をモータ42に供給する電源に変換してそのモータ42に供給する。さらに、電源部は、照明装置10を制御する制御部を備えている。制御部は、光源12の明るさを制御し、光源12の発光色を変えられる場合には発光色を制御し、モータ42の速度や回転方向を制御する。
【００２６】
そして、照明装置10において、光源12が点灯することにより、各発光素子22からの光がレンズ23で集光されて第１の光学カバー30に照射され、第１の光学カバー30の光学パターンに応じたパターン光が第１の光学カバー30を透過して第２の光学カバー31に照射され、第２の光学カバー31の光学パターンに応じたパターン光が第２の光学カバー31を透過して天井面、壁面あるいは床面などの照射面60に照射される。
【００２７】
したがって、図１の模式図に示すように、光源12からの光が第１の光学カバー30および第２の光学カバー31を透過し、第１の光学カバー30の光学パターンに応じたパターン光と第２の光学カバー31の光学パターンに応じたパターン光とが合成されたパターン光61が照射面60に照射される。
【００２８】
また、駆動機構15のモータ42を駆動することにより、図６に示すように、円盤43が回転し、円盤43上の連結軸46が円運動する。円盤43上の連結軸46が円運動することにより、連結軸46がカム溝50内を移動しながら連結部材44を介して第１の光学カバー30を長手方向に往復移動させる。
【００２９】
さらに、図７に示すように、第１の光学カバー30が長手方向に往復移動することにより、支持軸52のピン54がガイド溝56内を移動して第１の光学カバー30が支持軸52および軸部材47を中心として長手方向に対して直交する短手方向に往復揺動する。すなわち、図７に示すように、支持軸52のピン54がガイド溝56の一端位置から中間位置へ向けて移動すると、第１の光学カバー30が短手方向の一側に揺動した後、元の位置に復帰し、また、支持軸52のピン54がガイド溝56の中間位置から他端位置へ向けて移動すると、第１の光学カバー30が短手方向の他側に揺動した後、元の位置に復帰する。支持軸52のピン54がガイド溝56の他端位置から一端位置へ向けて移動すると、逆の動きとなる。
【００３０】
これらにより、第１の光学カバー30が長手方向に往復移動しながら短手方向にも揺動する。
【００３１】
したがって、図１の模式図に示すように、光源12からの光が第１の光学カバー30および第２の光学カバー31を透過するが、第１の光学カバー30が第２の光学カバー31に対して移動することにより、光源12と第１の光学カバー30のパターンとの位置関係、および第１の光学カバー30のパターンと第２の光学カバー31のパターンとの位置関係がそれぞれ変化するため、照射面60に照射される第１の光学カバー30の光学パターンに応じたパターン光と第２の光学カバー31の光学パターンに応じたパターン光とが合成されたパターン光61に動きが生じるとともに明るさに変化が生じる。そのため、木の葉が風で動いて木漏れ日がゆらいでいるような、自然の木漏れ日を再現することができる。
【００３２】
また、駆動機構15によって動作する第１の光学カバー30が、動作せずに器具本体11に固定された第２の光学カバー31によって覆われているので、第１の光学カバー30が駆動機構15とともに外側から保護されることとなり、器具全体として破損しにくい構造にすることができる。
【００３３】
さらに、モータ42の回転速度をランダムに変化させたり、モータ42の回転方向をランダムに反転させることにより、ゆらぎ効果を向上させることができる。
【００３４】
さらに、モータ42の動作中には、制御部により光源12の明るさを明減制御することにより、より自然の木漏れ日を再現することができる。光源12を明減は、全光を１００％とすると、１００〜７０％の範囲で明減させることにより、より自然の木漏れ日を再現することができる。なお、光源12の明減制御には、光源12の消灯も含んでいてもよい。
【００３５】
さらに、光源12が光色を変化可能である場合には、光色を変化させることにより、昼間や夕方の時間帯に対応して、より自然の木漏れ日を再現することができる。
【００３６】
このように、本実施形態の照明装置10は、高い演出照明効果を得ることができる。
【００３７】
また、光源12が発光素子22の光を集光するレンズ23を用いていることにより、照射面60にパターン光61を発生しやすくでき、高い演出照明効果を得ることができる。
【００３８】
なお、光学カバー14（光学カバー30，31）のパターンを任意に設定することにより、木漏れ日を再現する以外に、水面の波や雲などを再現することもできる。
【００３９】
また、複数の光学カバー14（光学カバー30，31）は相対的に動けば、どの光学カバー14（光学カバー30，31）が動くようにしてもよく、例えば全ての光学カバー14（光学カバー30，31）が動くようにしてもよい。
【００４０】
さらに、光学カバー14（光学カバー30，31）の動きは、単純な往復移動に比べて、三次元的な動きをすることにより、より高い演出照明効果を得ることができる。
【００４１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４２】
10    照明装置
12    光源
14    光学カバー
15    駆動機構
【図１】
2017103061.tif 000003
【図２】
2017103061.tif 000004
【図３】
2017103061.tif 000005
【図４】
2017103061.tif 000006
【図５】
2017103061.tif 000007
【図６】
2017103061.tif 000008
【図７】
2017103061.tif 000009